(57)【要約】 【課題】  構造が簡単な撮像装置及びモニタを備えた携帯機器を提供することを目的とする。【解決手段】  携帯機器は、本体と、撮像装置を備えた撮像部と、表示部を備えたモニタ部と、を有し、上記撮像部は上記撮像装置の光軸を通る回転軸線回りに回転可能に上記本体に装着され、上記モニタ部は上記撮像装置の回転軸線に直交する回転軸線回りに回転可能に上記撮像部に装着されている。更に、携帯機器は、上記撮像装置は電荷撮像素子を有し、該電荷撮像素子の撮像面の長手方向は上記モニタ部の表示部の長手方向に常に整合している。【選択図】  図１
2005260785.tif 000002
【特許請求の範囲】
【請求項１】
本体と、撮像装置を備えた撮像部と、表示部を備えたモニタ部と、を有し、上記撮像部は上記撮像装置の光軸を通る回転軸線回りに回転可能に上記本体に装着され、上記モニタ部は上記撮像装置の回転軸線に直交する回転軸線回りに回転可能に上記撮像部に装着されていることを特徴とする携帯機器。
【請求項２】
上記撮像装置は電荷撮像素子を有し、該電荷撮像素子の撮像面の長手方向は上記モニタ部の表示部の長手方向に常に整合していることを特徴とする請求項１記載の携帯機器。
【請求項３】
上記本体は上記撮像部に対面した内面と該内面と反対側の外面を有し、上記撮像部は上記本体に対面した内面と該内面と反対側の外面を有し、上記撮像部が上記本体に対して回転するとき、上記本体の内面と上記撮像部の内面は、互いに向かい合った状態にて相対的に回転することを特徴とする請求項１記載の携帯機器。
【請求項４】
上記撮像装置は、上記撮像部の外面に装着されていることを特徴とする請求項３記載の携帯機器。
【請求項５】
上記撮像装置は、上記撮像部の内面にて突出するように装着され、且つ、上記本体に設けられた孔を介して、上記本体の外面側に露出されていること特徴とする請求項３記載の携帯機器。
【請求項６】
上記本体の外形は上記撮像部の外形と上記モニタ部の外形に対応した形状であることを特徴とする請求項１記載の携帯機器。
【請求項７】
本体と、撮像装置及び表示部を備えた撮像モニタ部と、を有し、該撮像モニタ部は上記撮像装置の光軸を通る回転軸線回りに回転可能に上記本体に装着されていることを特徴とする携帯機器。
【請求項８】
上記撮像装置は電荷撮像素子を有し、該電荷撮像素子の撮像面の長手方向は上記モニタ部の表示部の長手方向に常に整合していることを特徴とする請求項７記載の携帯機器。
【請求項９】
上記本体は上記撮像モニタ部に対面した内面と該内面と反対側の外面を有し、上記撮像モニタ部は上記本体に対面した内面と該内面と反対側の外面を有し、上記撮像モニタ部が上記本体に対して回転するとき、上記本体の内面と上記撮像モニタ部の内面は、互いに向かい合った状態にて相対的に回転することを特徴とする請求項７記載の携帯機器。
【請求項１０】
上記撮像装置は、上記撮像モニタ部の内面にて突出するように装着され、且つ、上記本体に設けられた孔を介して、上記本体の外面側に露出されていること特徴とする請求項９記載の携帯機器。
【請求項１１】
上記表示部は、上記撮像モニタ部の外面に装着されていることを特徴とする請求項９記載の携帯機器。
【請求項１２】
本体と、撮像装置を備えた撮像部と、表示部を備えたモニタ部と、を有し、上記撮像部は上記撮像装置の任意の支点を回転軸線回りに回転可能に上記本体に装着され、上記モニタ部は上記撮像装置の回転軸線に直交する回転軸線回りに回転可能に上記撮像部に装着されていることを特徴とする携帯機器。
【発明の詳細な説明】
【技術分野】
【０００１】
本発明は、ビデオカメラ、デジタルカメラ、携帯電話、携帯テレビ等の携帯機器に関し、特に、撮像装置及びモニタを備えた携帯機器に関する。
【背景技術】
【０００２】
近年、モニタ及び撮像装置を備えた携帯機器が広く使用されている。これらの携帯機器には、動画像を撮像するビデオカメラ、カムコーダ、静止画像を撮像するデジタルカメラ、電子カメラ、カメラ機能付携帯電話、テレビジョン受像機付携帯端末等がある。
【０００３】
特願２００３−３３２４９２号には、モニタ部が本体に対して２つの回転軸線回りに回転可能な撮像装置が記載されている。
【０００４】
【特許文献１】特願２００３−３３２４９２号
【発明の開示】
【発明が解決しようとする課題】
【０００５】
従来の撮像装置では、撮像部が本体に設けられているため、モニタ部が本体に対して回転しても、撮像部は回転しない。即ち、モニタ部と撮像部は連動していない。したがって、モニタ部にて、撮像部によって撮像された画像を正常な位置に表示するためには、モニタ部の回転角を計算し、その回転角に基づいて、画像を回転させなければならない。
本発明は、構造が簡単な撮像装置及びモニタを備えた携帯機器を提供することを目的とする。
【課題を解決するための手段】
【０００６】
本発明による携帯機器は、本体と、撮像装置を備えた撮像部と、表示部を備えたモニタ部と、を有し、上記撮像部は上記撮像装置の光軸を通る回転軸線回りに回転可能に上記本体に装着され、上記モニタ部は上記撮像装置の回転軸線に直交する回転軸線回りに回転可能に上記撮像部に装着されている。
【０００７】
更に、携帯機器は、上記撮像装置は電荷撮像素子を有し、該電荷撮像素子の撮像面の長手方向は上記モニタ部の表示部の長手方向に常に整合している。
【発明の効果】
【０００８】
本発明によると、構造が簡単な撮像装置及びモニタを備えた携帯機器が提供される。
【発明を実施するための最良の形態】
【０００９】
図１〜図４を参照して本発明による撮像装置及びモニタ付携帯機器の第１の例を説明する。図１に示すように、本例の撮像装置及びモニタ付携帯機器は、本体１０、撮像部２０及びモニタ部３０の３つの部分を含む。撮像部２０は本体１０に対して回転可能に接続され、モニタ部３０は撮像部２０に対して回転可能に接続されている。モニタ部３０は、撮像部２０に接続されており、本体１０には直接接続されていない。図１は、撮像装置及びモニタ付携帯端末が収納状態にある場合を示す。図２Ａは、撮像部２０及びモニタ部３０が本体１０に対して９０度回転した状態を示し、図２Ｂは、撮像部２０及びモニタ部３０が本体１０に対して１８０度回転した状態を示す。
【００１０】
図２Ａに示すように、本体１０は、略直方体の形状を有し、内面１０１、外面１０２、長手方向の側面１０３、１０４、短い側面１０５、及び円弧状に湾曲した円弧状側面１０６を含む。
【００１１】
撮像部２０は、内面２０１、外面２０２、両側の側面２０３、２０４、モニタ部３０に対面した境界面２０５、及び円弧状に湾曲した円弧状側面２０６を含む。図２Ｂに示すように、モニタ部３０は、内面３０１、外面３０２、両側の側面３０３、３０４、撮像部２０に対面した境界面３０５及び側面３０６を含む。
【００１２】
撮像部２０とモニタ部３０の外形は、本体１０の外形に対応した形状を有する。即ち、撮像部２０の側面の形状は、本体１０の上半分の側面の形状に対応している。同様に、モニタ部３０の側面の形状は、本体１０の下半分の側面の形状に対応している。即ち、本体１０の幅は、撮像部２０の幅とモニタ部３０の幅にそれぞれ等しい。また、本体１０の高さは、撮像部２０の高さとモニタ部３０の高さの合計に等しい。
【００１３】
尚、本体１０の幅は、２つの側面１０３、１０４の間の寸法であり、撮像部２０の幅は２つの側面２０３、２０４の間の寸法であり、モニタ部３０の幅は２つの側面３０３、３０４の間の寸法である。また、本体１０の高さは、短い側面１０５から円弧状側面１０６の頂点までの寸法である。
【００１４】
尚、撮像部２０とモニタ部３０の外形は、本体１０の外形に対応していなくてもよい。例えば、撮像部２０の外形は、本体１０の上半分の外形より大きくてもよい。
【００１５】
本体１０の内面１０１には、電源オンオフボタン、各種の操作ボタン、操作キー等が配置される。例えば、本例の撮像装置及びモニタ付携帯機器が、ビデオカメラに適用される場合、本体１０の内面１０１には、録画、再生、早送り、逆送り等の操作ボタン、モニタ上に表示された各種の撮影機能を選択するための操作キー等が配置される。本例の撮像装置及びモニタ付携帯機器が、撮像装置付携帯電話に適用される場合、本体１０の内面１０１には、数字キー、シャープキー、各種の機能キーが配置される。
【００１６】
図１に示す収納状態のとき、本体１０の内面１０１は、撮像部２０及びモニタ部３０に覆われる。従って、本例の撮像装置及びモニタ付携帯機器を収納状態にてカバン等に入れても、誤って、本体１０の内面１０１のキーが操作されることはない。尚、本体１０の外面１０２に、操作ボタンを設けてもよい。
【００１７】
撮像部２０の外面２０２には、撮像装置２０８が装着されている。撮像装置２０８は、動画像を撮像するビデオカメラであってよく、静止画像を撮像するデジタルカメラであってよい。撮像装置２０８として、電荷撮像素子（charged couple device）を使用した構造のものが使用されてよい。撮像装置２０８の構造は周知であり、ここでは詳細な説明は省略する。
【００１８】
図３及び図４を参照して説明する。図３Ａは、図２Ａに示す撮像部２０及びモニタ部３０が本体１０に対して９０度回転した状態から、モニタ部３０を撮像部２０に対して１３５度回転させた状態を示し、図３Ｂは、図２Ａに示す撮像部２０及びモニタ部３０が本体１０に対して９０度回転させた状態から、モニタ部３０を撮像部２０に対して１８０度回転させた状態を示す。図４は、図２Ｂに示す撮像部２０及びモニタ部３０を本体１０に対して１８０度回転させた状態から、モニタ部３０を撮像部２０に対して１８０度回転させた状態を示す。また、図４は、図３Ｂの状態から、撮像部２０及びモニタ部３０を本体１０に対して更に９０度回転させた状態を示す。
【００１９】
撮像部２０は本体１０に対して回転可能である。撮像部２０の回転軸線は、撮像装置２０８の光軸を通る。こうして、回転軸線を、光軸に一致させることにより、撮像部２０を回転させても、画像は中心点の周りに回転するが、画像の中心点が円周に沿って移動するような回動運動を行うことはない。尚、撮像部２０は本体１０に対して任意の支点の周りに回転可能に装着してよい。
【００２０】
モニタ部３０は撮像部２０に対して回転可能である。モニタ部３０の回転軸線は、好ましくは、撮像部２０及びモニタ部３０の中心軸線を通る。モニタ部３０の回転軸線は、撮像部２０の回転軸線と直交するが、必ずしも交差する必要はない。
【００２１】
モニタ部３０の内面３０１には液晶等の表示部３０８が設けられている。表示部３０８の長手方向を矢印Ａにて示し、撮像装置２０８に設けられた電荷撮像素子の撮像面の長手方向を矢印Ｂにて示す。本例によると、撮像部２０が本体１０に対して回転しても、モニタ部３０が撮像部２０に対して回転しても、表示部３０８の長手方向Ａと電荷撮像素子の撮像面の長手方向Ｂの相対的な位置関係は常に同一である。即ち、表示部３０８の長手方向Ａと電荷撮像素子の撮像面の長手方向Ｂは同一方向を向いている。従って、撮像装置２０８によって撮像された像は、そのまま、即ち、同一方向にて、モニタ部３０の表示部３０８に表示される。
【００２２】
図４及び図３Ｂに示した状態では、撮像部２０の撮像装置２０８とモニタ部３０の表示部３０８は同一方向を向いている。これは、例えば、ユーザが自分の顔を撮像する場合を示す。
【００２３】
図５及び図６を参照して本発明による撮像装置及びモニタ付携帯機器の第２の例を説明する。本例の撮像装置及びモニタ付携帯機器は、本体１１、撮像部２１及びモニタ部３１の３つの部分を含む。撮像部２１は本体１１に対して回転可能に接続され、モニタ部３１は撮像部２１に対して回転可能に接続されている。モニタ部３１は、撮像部２１に接続されており、本体１１には直接接続されていない。図５Ａは、撮像装置及びモニタ付携帯端末が収納状態にある場合を示す。図５Ｂは、撮像装置及びモニタ付携帯端末の断面構成を示す。図６Ａは、撮像部２１及びモニタ部３１が本体１１に対して９０度回転した状態を示し、図６Ｂは、撮像部２１及びモニタ部３１が本体１１に対して１８０度回転し、更に、モニタ部３１が撮像部２１に対して１８０度回転した状態を示す。
【００２４】
図６Ａに示すように、本体１１は、略直方体の形状を有し、内面１１１、外面１１２、両側の側面１１３、１１４、短い側面１１５、及び円弧状に湾曲した円弧状側面１１６を含む。
【００２５】
撮像部２１は、内面２１１、外面２１２、両側の側面２１３、２１４、モニタ部３１と対面する境界面２１５、及び、円弧状に湾曲した円弧状側面２１６を含む。モニタ部３１は、内面３１１、外面３１２、両側の長い側面３１３、３１４、撮像部２１と対面する境界面３１５、及び、短い側面３１６を含む。
【００２６】
撮像部２１とモニタ部３１の外形は、本体１１の外形に対応した形状を有する。即ち、撮像部２１の側面の形状は、本体１１の第１半分の側面の形状に対応している。同様に、モニタ部３１の側面の形状は、本体１１の第２半分の側面の形状に対応している。即ち、本体１１の幅は、撮像部２１の幅とモニタ部３１の幅にそれぞれ等しい。また、本体１１の高さは、撮像部２１の高さとモニタ部３１の高さの合計に等しい。
【００２７】
尚、本体１１の幅は、２つの側面１１３、１１４の間の寸法であり、撮像部２１の幅は２つの側面２１３、２１４の間の寸法であり、モニタ部３１の幅は２つの側面３１３、３１４の間の寸法である。また、本体１１の高さは、短い側面１１５から円弧状側面１１６の頂点までの寸法である。
【００２８】
本体１１の内面１１１には、電源オンオフボタン、各種の操作ボタン、操作キー等が配置される。例えば、本例の撮像装置及びモニタ付携帯機器が、ビデオカメラに適用される場合、内面１１１には、録画、再生、早送り、逆送り等の操作ボタン、モニタ上に表示された各種の撮影機能を選択するための操作キー等が配置される。本例の撮像装置及びモニタ付携帯機器が、撮像装置付携帯電話に適用される場合、内面１１１は、数字キー、シャープキー、各種の機能キーが配置される。
【００２９】
図５に示す収納状態のとき、本体１１の内面１１１は、撮像部２１及びモニタ部３１に覆われる。従って、本例の撮像装置及びモニタ付携帯機器を収納状態にてカバン等に入れても、誤って、内面１１１のキーが操作されることはない。尚、本体１１の外面１１２に、操作ボタンを設けてもよい。
【００３０】
図５Ｂに示すように、モニタ部３１の外面３１２には、液晶等の表示部３１８が設けられている。撮像部２１の内面２１１には突出するように撮像装置２１８が設けられている。本体１１は、円形の孔１１８を有する。撮像装置２１８は、本体１１の孔１１８内に配置されるように、撮像部２１に装着されている。従って、撮像装置２１８は、本体１１の外面１１２より露出している。
【００３１】
撮像部２１は本体１１に対して回転可能である。撮像部２１の回転軸線は、好ましくは、撮像装置２１８の光軸を通る。こうして、回転軸線を、光軸に一致させることにより、撮像部２１を回転させても、画像は中心点の周りに回転するが、画像の中心点が円周に沿って移動するような回動運動を行うことはない。尚、撮像部２１は本体１１に対して任意の支点の周りに回転可能に装着してよい。
【００３２】
モニタ部３１は撮像部２１に対して回転可能である。モニタ部３１の回転軸線は、好ましくは、撮像部２１及びモニタ部３１の中心軸線を通る。モニタ部３１の回転軸線は、撮像部２１の回転軸線と直交するが、必ずしも交差する必要はない。
【００３３】
図６に示すように、モニタ部３１の表示部３１８の長手方向を矢印Ａにて示し、撮像装置２１８に設けられた電荷撮像素子の撮像面の長手方向を矢印Ｂにて示す。本例によると、撮像部２１が本体１１に対して回転しても、モニタ部３１が撮像部２１に対して回転しても、表示部３１８の長手方向Ａと電荷撮像素子の撮像面の長手方向Ｂの相対的は位置関係は常に同一である。即ち、表示部３１８の長手方向Ａと電荷撮像素子の撮像面の長手方向Ｂは同一方向を向いている。従って、撮像装置３１８によって撮像された像は、そのまま、即ち、同一方向にて、モニタ部３１の表示部３１８に表示される。
【００３４】
図６Ｂに示した状態では、撮像部２１の撮像装置２１８とモニタ部３１の表示部３１８は同一方向を向いている。これは、例えば、ユーザが自分の顔を撮像する場合を示す。
【００３５】
図７を参照して本発明による撮像装置及びモニタ付携帯端末の第３の例を説明する。本例の撮像装置及びモニタ付携帯機器は、本体１２、及び撮像モニタ部４２の２つの部分を含む。
【００３６】
本体１２は、略直方体の形状を有し、内面１２１、外面１２２、長手方向の側面１２３、１２４、短い側面１２５、及び、円弧状に湾曲した円弧状側面１２６を含む。外面１２２上には突起部１２７が設けられている。突起部１２７は、ユーザが右手で持つためのハンドル部として機能する。尚、突起部１２７はバッテリ、メモリ等を収納してよい。
【００３７】
撮像モニタ部４２は、内面４２１、外面４２２、２つの長い側面４２３、４２４、短い側面４２５、及び、円弧状に湾曲した円弧状側面４２６を含む。撮像モニタ部４２の外形は、本体１２の外形に対応した形状を有する。
【００３８】
撮像モニタ部４２は、液晶等の表示部４２７及び撮像装置４２８を有する。表示部４２７は、撮像モニタ部４２の外面４２２に設けられ、撮像装置４２８は、撮像モニタ部４２の内面４２１に突出するように設けられている。本体１２は、円形の孔１２８を有する。撮像装置４２８は、本体１２の孔１２８内に配置されるように、撮像モニタ部４２に装着されている。従って、撮像装置４２８は本体１２の外面１２２より露出している。
【００３９】
撮像モニタ部４２は本体１２に対して回転可能に接続されている。図７Ａは、撮像装置及びモニタ付携帯端末が収納状態にある場合を示す。図７Ｂは、撮像モニタ部４２が本体１２に対して９０度回転した状態を示す。
【００４０】
撮像モニタ部４２の回転軸線は、好ましくは、撮像装置４２８の光軸を通る。こうして、回転軸線を、光軸に一致させることにより、撮像モニタ部４２を回転させても、画像は中心点の周りに回転するが、画像が回動することはない。
【００４１】
表示部４２７の長手方向を矢印Ａにて示し、撮像装置４２８に設けられた電荷撮像素子の撮像面の長手方向を矢印Ｂにて示す。本例によると、撮像モニタ部４２が本体１２に対して回転しても、表示部４２７の長手方向Ａと電荷撮像素子の撮像面の長手方向Ｂの相対的は位置関係は常に同一である。即ち、表示部４２７の長手方向Ａと電荷撮像素子の撮像面の長手方向Ｂは同一方向を向いている。従って、撮像装置４２８によって撮像された像は、そのまま、即ち、同一方向にて、表示部４２７に表示される。
【００４２】
以上、本発明の例を説明したが、本発明は上述の例に限定されるものではなく、特許請求の範囲に記載された発明の範囲にて様々な変更が可能であることは当業者に容易に理解されよう。
【図面の簡単な説明】
【００４３】
【図１】図１は、本発明による撮像装置及びモニタ付携帯端末の第１の例が収納状態にある場合を示す斜視図である。
【図２】図２は、本発明による撮像装置及びモニタ付携帯端末の第１の例の撮像部及びモニタ部が本体に対して回転した状態を示す斜視図である。
【図３】図３は、図２Ａに示す本発明による撮像装置及びモニタ付携帯端末の第１の例において、更に、モニタ部が撮像部に対して回転した状態を示す斜視図である。
【図４】図４は、図３Ｂに示す本発明による撮像装置及びモニタ付携帯端末の第１の例において、撮像部及びモニタ部が本体に対して更に回転した状態を示す斜視図である。
【図５】図５は、本発明による撮像装置及びモニタ付携帯端末の第２の例が収納状態にある場合を示す斜視図及び断面構成を示す図である。
【図６】図６は、本発明による撮像装置及びモニタ付携帯端末の第２の例の撮像部及びモニタ部が本体に対して更に回転した状態を示す斜視図である。
【図７】図７は、本発明による撮像装置及びモニタ付携帯端末の第３の例を示す斜視図である。
【符号の説明】
【００４４】
１０，１１，１２…本体、２０，２１…撮像部、３０，３１…モニタ部、４２…撮像モニタ部、１１８…孔、１２７…突起部、１２８…孔、２０８…撮像装置、２１８…撮像装置、３０８，３１８，４２７…表示部、４２８…撮像装置
【図１】
2005260785.tif 000003
【図２】
2005260785.tif 000004
【図３】
2005260785.tif 000005
【図４】
2005260785.tif 000006
【図５】
2005260785.tif 000007
【図６】
2005260785.tif 000008
【図７】
2005260785.tif 000009